(57)【要約】【課題】空気調和装置と外気処理装置とを備えた空調システムにおいて、その消費エネルギを必要最小限に抑える。【解決手段】空調機（20）と外気処理機（50）とによって空調システム（10）が構成される。空調システム（10）の制御システム（90）は、空調機（20）が発揮すべき第１目標空調能力と、外気処理機（50）が発揮すべき第２目標空調能力とを、第１目標空調能力と第２目標空調能力の和が空調システム（10）全体に要求される空調能力と等しくなるという条件下において空調機（20）及び外気処理機（50）の消費電力が最小となるように決定する。そして、制御システム（90）は、空調機（20）が第１目標空調能力を発揮するように空調用圧縮機（41）の運転周波数を制御し、外気処理機（50）が第２目標空調能力を発揮するように調湿用圧縮機（71）の運転周波数を制御する。【選択図】図１
2010121912.tif 000002
【特許請求の範囲】
【請求項１】
取り込んだ室内空気を少なくともその温度を調節してから室内へ供給する空気調和装置（20）と、取り込んだ室外空気をその温度及び湿度を調節してから室内へ供給する外気処理装置（50）と、上記空気調和装置（20）および上記外気処理装置（50）の運転を制御する制御手段（90）とを備える空調システムであって、
上記制御手段（90）は、
上記空気調和装置（20）が発揮すべき空調能力である第１目標空調能力と、上記外気処理装置（50）が発揮すべき空調能力である第２目標空調能力とを、上記第１目標空調能力と上記第２目標空調能力の和が空調システムに要求される空調能力と等しくなるという条件下において上記空気調和装置（20）の消費エネルギと上記外気処理装置（50）の消費エネルギの和が最小となるように決定し、
上記空気調和装置（20）が上記第１目標空調能力を発揮するように該空気調和装置（20）の運転を制御し、上記外気処理装置（50）が上記第２目標空調能力を発揮するように該外気処理装置（50）の運転を制御するように構成されている
ことを特徴とする空調システム。
【請求項２】
請求項１において、
上記制御手段（90）は、
上記空気調和装置（20）における空調能力と消費エネルギの関係を示す第１運転特性データと、上記外気処理装置（50）における空調能力と消費エネルギの関係を示す第２運転特性データとを予め記憶し、
上記第１運転特性および上記第２運転特性に基づいて上記第１目標空調能力および上記第２目標空調能力を決定するように構成されている
ことを特徴とする空調システム。
【請求項３】
請求項１又は２において、
上記空気調和装置（20）は、圧縮機（41）が接続されて冷凍サイクルを行う第１冷媒回路（30）を備え、室内空気を上記第１冷媒回路（30）の冷媒と熱交換させることによって室内空気の温度を調節するように構成され、
上記外気処理装置（50）は、圧縮機（71）が接続されて冷凍サイクルを行う第２冷媒回路（60）と、該第２冷媒回路（60）の冷媒によって冷却され又は加熱される吸着剤とを備え、室外空気を上記吸着剤と接触させることによって室外空気の温度および湿度を調節するように構成され、
上記制御手段（90）は、上記第１冷媒回路（30）に接続された圧縮機（41）の運転容量を、上記空気調和装置（20）が上記第１空調能力を発揮するように調節し、上記第２冷媒回路（60）に接続された圧縮機（71）の運転容量を、上記外気処理装置（50）が上記第２空調能力を発揮するように調節するように構成されている
ことを特徴とする空調システム。
【発明の詳細な説明】
【技術分野】
【０００１】
本発明は、室内空気の温度を調節する空気調和装置と、室内へ供給される室外空気の温度と湿度を調節する外気処理装置とを備えた空調システムに関するものである。
【背景技術】
【０００２】
従来より、空気調和装置と外気処理装置とを備えた空調システムが知られている。例えば、特許文献１には、冷凍サイクルを行う冷媒回路が設けられた空気調和装置と、デシカントロータを用いて空気の湿度を調節する外気処理装置とを備える空調システムが開示されている。また、特許文献２や特許文献３には、空気熱交換器の表面に担持された吸着剤を冷媒で加熱し又は冷却することによって空気の湿度を調節する外気処理装置と、冷凍サイクルを行う冷媒回路が設けられた空気調和装置とを備える空調システムが開示されている。この種の空調システムにおいて、空気調和装置は、取り込んだ室内空気の温度を調節し、温度を調節した室内空気を室内へ供給する。また、外気処理装置は、取り込んだ室外空気の温度と湿度を調節し、温度と湿度を調節した室外空気を室内へ供給する。
【０００３】
これら各特許文献に開示された外気処理装置は、取り込んだ室外空気の温度と湿度を調節する。このため、この外気処理装置を備える空調システムでは、外気処理装置が温度と湿度を調節した室外空気を室内へ供給することによっても、室内の気温を変化させることができる場合がある。そこで、特許文献２に開示された空調システムでは、空気調和装置の冷媒回路に設けられた圧縮機の容量を制御する際に外気処理装置の運転状態を考慮することによって、室内気温が設定値に達するまでの時間を短縮している。
【特許文献１】特開平０９−３１８１２６号公報
【特許文献２】特開２００５−２９１５８５号公報
【特許文献３】特開２００６−３２９４７１号公報
【発明の開示】
【発明が解決しようとする課題】
【０００４】
上述したように、室外空気の温度と湿度の両方を調節する外気処理機が設けられた空調システムでは、外気処理装置によっても室内の気温を変化させられる場合があるため、室内の空調負荷を常に空気調和装置だけで処理する必要はない。一方、空気調和装置と外気処理装置について、両者の運転効率は必ずしも一致しないのが通常である。このため、空調システム全体が発揮する空調能力が同じ場合であっても、室内の空調負荷のうち空気調和装置が処理する分と外気処理装置が処理する分との割合が異なれば、空気調和装置が消費するエネルギと外気処理装置が消費するエネルギとの和（即ち、空調システム全体の消費エネルギ）も異なることが有り得る。
【０００５】
ところが、従来は、このような事情を考慮した空調システムの運転制御は行われていなかった。このため、従来の空調システムでは、室内の空調負荷のうち空気調和装置が処理する分と外気処理装置が処理する分との割合が最適化されておらず、無駄なエネルギを消費してしまうおそれがあった。
【０００６】
本発明は、かかる点に鑑みてなされたものであり、その目的は、空気調和装置と外気処理装置とを備えた空調システムにおいて、その消費エネルギを必要最小限に抑えることにある。
【課題を解決するための手段】
【０００７】
第１の発明は、取り込んだ室内空気を少なくともその温度を調節してから室内へ供給する空気調和装置（20）と、取り込んだ室外空気をその温度及び湿度を調節してから室内へ供給する外気処理装置（50）と、上記空気調和装置（20）および上記外気処理装置（50）の運転を制御する制御手段（90）とを備える空調システムを対象とする。そして、上記制御手段（90）は、上記空気調和装置（20）が発揮すべき空調能力である第１目標空調能力と、上記外気処理装置（50）が発揮すべき空調能力である第２目標空調能力とを、上記第１目標空調能力と上記第２目標空調能力の和が空調システムに要求される空調能力と等しくなるという条件下において上記空気調和装置（20）の消費エネルギと上記外気処理装置（50）の消費エネルギの和が最小となるように決定し、上記空気調和装置（20）が上記第１目標空調能力を発揮するように該空気調和装置（20）の運転を制御し、上記外気処理装置（50）が上記第２目標空調能力を発揮するように該外気処理装置（50）の運転を制御するように構成されるものである。
【０００８】
第１の発明の空調システム（10）において、空気調和装置（20）は、取り込んだ室内空気の少なくとも温度を調節し、温度を調節した室内空気を室内へ供給する。また、外気処理装置（50）は、取り込んだ室外空気の温度と湿度を調節し、温度と湿度を調節した室外空気を室内へ供給する。制御手段（90）は、第１目標空調能力と第２目標空調能力とを決定する。そして、制御手段（90）は、空気調和装置（20）が第１目標空調能力を発揮するように空気調和装置（20）の運転を制御し、外気処理装置（50）が第２目標空調能力を発揮するように外気処理装置（50）の運転を制御する。
【０００９】
ここで、空調システム（10）に例えば３０ｋＷの空調能力を発揮させるには、空気調和装置（20）に２０ｋＷの空調能力を発揮させて外気処理装置（50）に１０ｋＷの空調能力を発揮させてもよいし、空気調和装置（20）に２５ｋＷの空調能力を発揮させて外気処理装置（50）に５ｋＷの空調能力を発揮させてもよい。一方、１ｋＷの空調能力を得るのに必要なエネルギは、空気調和装置（20）と外気処理装置（50）とで相違するのが通常である。このため、上記の例において、空気調和装置（20）が２０ｋＷの空調能力を発揮して外気処理装置（50）が１０ｋＷの空調能力を発揮する場合と、空気調和装置（20）が２５ｋＷの空調能力を発揮して外気処理装置（50）が５ｋＷの空調能力を発揮する場合とを比べると、空調システム（10）全体の消費エネルギ（即ち、空気調和装置（20）が消費するエネルギと外気処理装置（50）が消費するエネルギとの和）は、必ずしも同じとは限らない。
【００１０】
そこで、第１の発明の制御手段（90）は、第１目標空調能力と第２目標空調能力の和が空調システム（10）全体に要求される空調能力と等しくなるという条件下において空気調和装置（20）の消費エネルギと外気処理装置（50）の消費エネルギの和が最小となるように、第１目標空調能力と第２目標空調能力とを決定する。つまり、この制御手段（90）は、空調システム（10）に要求される空調能力のうち空気調和装置（20）が発揮する分（第１目標空調能力）と外気処理装置（50）が発揮する分（第２目標空調能力）とを、消費エネルギが最小となるように決める。そして、空気調和装置（20）が第１目標空調能力を発揮し、外気処理装置（50）が第２目標空調能力を発揮する状態では、空調システム（10）が発揮する空調能力がその要求値と一致し、しかも空調システム（10）の消費エネルギが必要最小限に抑えられる。
【００１１】
第２の発明は、上記第１の発明において、上記制御手段（90）は、上記空気調和装置（20）における空調能力と消費エネルギの関係を示す第１運転特性データと、上記外気処理装置（50）における空調能力と消費エネルギの関係を示す第２運転特性データとを予め記憶し、上記第１運転特性および上記第２運転特性に基づいて上記第１目標空調能力および上記第２目標空調能力を決定するように構成されるものである。
【００１２】
第２の発明では、制御手段（90）が第１運転特性データと第２運転特性データとを予め記憶している。第１運転特性データを用いれば、ある空調能力を発揮している空気調和装置（20）において消費されるエネルギを算出できる。また、第２運転特性データを用いれば、ある空調能力を発揮している外気処理装置（50）において消費されるエネルギを算出できる。そして、制御手段（90）は、第１運転特性データを用いて空気調和装置（20）の消費エネルギを算出する一方、第２運転特性データを用いて外気処理装置（50）の消費エネルギを算出し、それぞれの消費エネルギの算出値を用いて第１目標空調能力と第２目標空調能力とを決定する。
【００１３】
第３の発明は、上記第１又は第２の発明において、上記空気調和装置（20）は、圧縮機（41）が接続されて冷凍サイクルを行う第１冷媒回路（30）を備え、室内空気を上記第１冷媒回路（30）の冷媒と熱交換させることによって室内空気の温度を調節するように構成され、上記外気処理装置（50）は、圧縮機（71）が接続されて冷凍サイクルを行う第２冷媒回路（60）と、該第２冷媒回路（60）の冷媒によって冷却され又は加熱される吸着剤とを備え、室外空気を上記吸着剤と接触させることによって室外空気の温度および湿度を調節するように構成され、上記制御手段（90）は、上記第１冷媒回路（30）に接続された圧縮機（41）の運転容量を、上記空気調和装置（20）が上記第１空調能力を発揮するように調節し、上記第２冷媒回路（60）に接続された圧縮機（71）の運転容量を、上記外気処理装置（50）が上記第２空調能力を発揮するように調節するように構成されるものである。
【００１４】
第３の発明において、空気調和装置（20）には、第１冷媒回路（30）が設けられる。第１冷媒回路（30）に接続された圧縮機（41）を駆動すると、第１冷媒回路（30）内を冷媒が循環して冷凍サイクルが行われる。空気調和装置（20）は、室内空気を第１冷媒回路（30）の冷媒と熱交換させることによって、室内空気の加熱または冷却を行う。第１冷媒回路（30）に接続された圧縮機（41）の運転容量が変化すると、第１冷媒回路（30）における冷媒の循環量が変化し、空気調和装置（20）が発揮する空調能力が変化する。そこで、制御手段（90）は、空気調和装置（20）が第１目標空調能力を発揮するように、第１冷媒回路（30）に接続された圧縮機（41）の運転容量を調節する。
【００１５】
また、第３の発明において、外気処理装置（50）には、第２冷媒回路（60）が設けられる。第２冷媒回路（60）に接続された圧縮機（71）を駆動すると、第２冷媒回路（60）内を冷媒が循環して冷凍サイクルが行われる。外気処理装置（50）は、第２冷媒回路（60）の冷媒によって吸着剤の加熱または冷却を行い、加熱され又は冷却された吸着剤を室外空気と接触させることによって室外空気の温度と湿度を調節する。第２冷媒回路（60）に接続された圧縮機（71）の運転容量が変化すると、第２冷媒回路（60）における冷媒の循環量が変化し、外気処理装置（50）が発揮する空調能力が変化する。そこで、制御手段（90）は、外気処理装置（50）が第２目標空調能力を発揮するように、第２冷媒回路（60）に接続された圧縮機（71）の運転容量を調節する。
【発明の効果】
【００１６】
本発明において、制御手段（90）は、第１目標空調能力と第２目標空調能力とを、第１目標空調能力と第２目標空調能力の和が空調システム（10）全体に要求される空調能力と等しくなるという条件下において空気調和装置（20）の消費エネルギと外気処理装置（50）の消費エネルギの和が最小となるように決定する。そして、本発明では、空気調和装置（20）が第１目標空調能力を発揮して外気処理装置（50）が第２目標空調能力を発揮するように、制御手段（90）が空気調和装置（20）および外気処理装置（50）を制御する。従って、本発明によれば、空調システム（10）に必要十分な空調能力を発揮させつつ、空調システム（10）において消費されるエネルギを必要最低限に抑えることが可能となる。
【発明を実施するための最良の形態】
【００１７】
以下、本発明の実施形態を図面に基づいて詳細に説明する。本実施形態の空調システム（10）は、空気調和装置である空調機（20）と、外気処理装置である外気処理機（50）とを備えている。また、この空調システム（10）では、空調機（20）に設けられた空調側コントローラ（91）と、外気処理機（50）に設けられた調湿側コントローラ（92a,92b）とが、制御手段である制御システム（90）を構成している。
【００１８】
〈空調機の構成〉
空調システム（10）を構成する空調機（20）は、一台の室外ユニット（21）と、四台の室内ユニット（22a,22b,22c,22d）とを備えている。この空調機（20）では、室外ユニット（21）と各室内ユニット（22a〜22d）を配管で接続することによって、第１冷媒回路である空調用冷媒回路（30）が形成されている。なお、室外ユニット（21）及び室内ユニット（22a〜22d）の台数は、単なる例示である。
【００１９】
室外ユニット（21）には、室外回路（40）と室外ファン（23）とが収容されている。室外回路（40）には、空調用圧縮機（41）と、アキュームレータ（42）と、四方切換弁（43）と、室外熱交換器（44）と、室外膨張弁（45）と、レシーバ（46）と、液側閉鎖弁（47）と、ガス側閉鎖弁（48）とが設けられている。
【００２０】
室外回路（40）において、空調用圧縮機（41）は、その吐出側が四方切換弁（43）の第１のポートに接続され、その吸入側がアキュームレータ（42）を介して四方切換弁（43）の第２のポートに接続されている。四方切換弁（43）の第３のポートは、室外熱交換器（44）のガス側端に接続されている。室外熱交換器（44）の液側端は、室外膨張弁（45）の一端に接続されている。室外膨張弁（45）の他端は、レシーバ（46）を介して液側閉鎖弁（47）に接続されている。四方切換弁（43）の第４のポートは、ガス側閉鎖弁（48）に接続されている。
【００２１】
室外回路（40）には、高圧センサ（26）と低圧センサ（27）とが設けられている。高圧センサ（26）は、空調用圧縮機（41）の吐出側と四方切換弁（43）を繋ぐ配管に接続され、空調用圧縮機（41）から吐出された高圧冷媒の圧力を計測する。低圧センサ（27）は、アキュームレータ（42）と四方切換弁（43）を繋ぐ配管に接続され、空調用圧縮機（41）へ吸入される低圧冷媒の圧力を計測する。
【００２２】
空調用圧縮機（41）は、いわゆる全密閉型の圧縮機である。空調用圧縮機（41）の電動機には、図外のインバータを介して電力が供給される。インバータから電動機へ供給される交流の周波数（即ち、空調用圧縮機（41）の運転周波数）を変化させると、電動機の回転速度が変化し、その結果、空調用圧縮機（41）の運転容量が変化する。
【００２３】
室外熱交換器（44）は、室外ファン（23）によって供給された室外空気を冷媒と熱交換させるフィン・アンド・チューブ型の熱交換器である。四方切換弁（43）は、第１のポートが第３のポートに連通し且つ第２のポートが第４のポートに連通する第１状態（図１に実線で示す状態）と、第１のポートが第４のポートに連通し且つ第２のポートが第３のポートに連通する第２状態（図１に破線で示す状態）とに切り換わる。
【００２４】
各室内ユニット（22a〜22d）には、室内回路（35a,35b,35c,35d）が一つずつ収容されている。また、各室内ユニット（22a〜22d）には、室内ファン（24a,24b,24c,24d）と、室内温度センサ（25a,25b,25c,25d）とが一つずつ設けられている。
【００２５】
各室内回路（35a〜35d）には、室内熱交換器（36a,36b,36c,36d）と、室内膨張弁（37a,37b,37c,37d）とが一つずつ設けられている。室内熱交換器（36a〜36d）は、室内ファン（24a〜24d）によって供給された室内空気を冷媒と熱交換させるフィン・アンド・チューブ型の熱交換器である。
【００２６】
各室内回路（35a〜35d）において、室内熱交換器（36a〜36d）は、その一端が室内回路（35a〜35d）のガス側端に接続され、その他端が室内膨張弁（37a〜37d）を介して室内回路（35a〜35d）の液側端に接続されている。各室内回路（35a〜35d）は、それぞれの液側端が液側連絡配管（31）を介して室外回路（40）の液側閉鎖弁（47）に接続され、それぞれのガス側端がガス側連絡配管（32）を介して室外回路（40）のガス側閉鎖弁（48）に接続されている。
【００２７】
図示しないが、各室内ユニット（22a〜22d）には、空気の吸込口と吹出口が形成されている。各室内ユニット（22a〜22d）は、それぞれに形成された吸込口及び吹出口の全てが同一の室内空間に連通するように設置されている。つまり、各室内ユニット（22a〜22d）は、同一の室内空間から室内空気を吸い込み、室内熱交換器（36a〜36d）を通過した室内空気を同一の室内空間へ吹き出す。
【００２８】
〈外気処理機の構成〉
空調システム（10）を構成する外気処理機（50）は、一台の圧縮機ユニット（51）と、二台の調湿ユニット（52a,52b）とを備えている。この外気処理機（50）では、圧縮機ユニット（51）と各調湿ユニット（52a,52b）を配管で接続することによって、第２冷媒回路である調湿用冷媒回路（60）が形成されている。なお、圧縮機ユニット（51）及び調湿ユニットの台数は、単なる例示である。
【００２９】
圧縮機ユニット（51）には、圧縮機側回路（70）が収容されている。圧縮機側回路（70）には、調湿用圧縮機（71）と、アキュームレータ（72）と、高圧側閉鎖弁（73）と、低圧側閉鎖弁（74）とが設けられている。圧縮機側回路（70）において、調湿用圧縮機（71）は、その吐出側が高圧側閉鎖弁（73）に接続され、この吸入側がアキュームレータ（72）を介して低圧側閉鎖弁（74）に接続されている。
【００３０】
調湿用圧縮機（71）は、いわゆる全密閉型の圧縮機である。調湿用圧縮機（71）の電動機には、図外のインバータを介して電力が供給される。インバータから電動機へ供給される交流の周波数（即ち、調湿用圧縮機（71）の運転周波数）を変化させると、電動機の回転速度が変化し、その結果、調湿用圧縮機（71）の運転容量が変化する。
【００３１】
図２にも示すように、各調湿ユニット（52a,52b）には、調湿用回路（80a,80b）が一つずつ収容されている。各調湿用回路（80a,80b）には、四方切換弁（83a,83b）と、第１吸着熱交換器（81a,81b）と、第２吸着熱交換器（82a,82b）と、調湿用膨張弁（84a,84b）とが一つずつ設けられている。
【００３２】
各調湿用回路（80a,80b）において、四方切換弁（83a,83b）は、その第１のポートが調湿用回路（80a,80b）の高圧側端に接続され、その第２のポートが調湿用回路（80a,80b）の低圧側端に接続されている。また、各調湿用回路（80a,80b）では、四方切換弁（83a,83b）の第３のポートから第４のポートに向かって順に、第１吸着熱交換器（81a,81b）と、調湿用膨張弁（84a,84b）と、第２吸着熱交換器（82a,82b）とが配置されている。各調湿用回路（80a,80b）は、それぞれの高圧側端が高圧側連絡配管（61）を介して圧縮機側回路（70）の高圧側閉鎖弁（73）に接続され、それぞれの低圧側端が低圧側連絡配管（62）を介して圧縮機側回路（70）の低圧側閉鎖弁（74）に接続されている。
【００３３】
第１吸着熱交換器（81a,81b）と第２吸着熱交換器（82a,82b）は、何れもフィン・アンド・チューブ型の熱交換器の表面にゼオライト等の吸着剤を担持させたものである。これら吸着熱交換器（81a,82a,81b,82b）では、その表面に担持された吸着剤が冷媒によって加熱され又は冷却され、そこを通過する空気が吸着剤と接触する。各四方切換弁（83a,83b）は、第１のポートが第３のポートに連通し且つ第２のポートが第４のポートに連通する第１状態（図２(Ａ)に示す状態）と、第１のポートが第４のポートに連通し且つ第２のポートが第３のポートに連通する第２状態（図２(Ｂ)に示す状態）とに切り換わる。
【００３４】
各調湿ユニット（52a,52b）には、給気ファン（53a,53b）と排気ファン（54a,54b）とが収容されている。また、各調湿ユニット（52a,52b）には、空気通路が形成されている。各調湿ユニット（52a,52b）では、図外のダンパを開閉することによって、空気の流通経路が切り換え可能となっている。そして、各調湿ユニット（52a,52b）は、室内空気と室外空気を吸い込むと共に、吸着熱交換器（81a,82a,81b,82b）を通過した室内空気を室外へ排出し、吸着熱交換器（81a,82a,81b,82b）を通過した室外空気を室内へ供給するように構成されている。
【００３５】
具体的に、各調湿ユニット（52a,52b）では、吸着熱交換器（81a,82a,81b,82b）の上流側における空気の流通経路が、室内空気が第１吸着熱交換器（81a,81b）へ送られて室外空気が第２吸着熱交換器（82a,82b）へ送られる状態（図２(Ａ)に示す状態）と、室内空気が第２吸着熱交換器（82a,82b）へ送られて室外空気が第１吸着熱交換器（81a,81b）へ送られる状態（図２(Ｂ)に示す状態）とに切り換え可能となっている。また、各調湿ユニット（52a,52b）では、吸着熱交換器（81a,82a,81b,82b）の下流側における空気の流通経路が、第１吸着熱交換器（81a,81b）を通過した空気が排気ファン（54a,54b）へ送られて第２吸着熱交換器（82a,82b）を通過した空気が給気ファン（53a,53b）へ送られる状態（図２(Ａ)に示す状態）と、第１吸着熱交換器（81a,81b）を通過した空気が給気ファン（53a,53b）へ送られて第２吸着熱交換器（82a,82b）を通過した空気が排気ファン（54a,54b）へ送られる状態（図２(Ｂ)に示す状態）とに切り換え可能となっている。
【００３６】
各調湿ユニット（52a,52b）には、室内温度センサ（55a,55b）と、室内湿度センサ（56a,56b）と、室外温度センサ（57a,57b）と、室外湿度センサ（58a,58b）とが設けられている。これらのセンサ（53a,54,…,53b,54b,…）は、空気の流通経路における吸着熱交換器（81a,82a,81b,82b）の上流側に設置されている。室内温度センサ（55a,55b）は、調湿ユニット（52a,52b）へ吸い込まれた室内空気の温度を計測する。室内湿度センサ（56a,56b）は、調湿ユニット（52a,52b）へ吸い込まれた室内空気の相対湿度を計測する。室外温度センサ（57a,57b）は、調湿ユニット（52a,52b）へ吸い込まれた室外空気の温度を計測する。室外湿度センサ（58a,58b）は、調湿ユニット（52a,52b）へ吸い込まれた室外空気の相対湿度を計測する。
【００３７】
図示しないが、各調湿ユニット（52a,52b）には、室内空気の吸込口及び吹出口と、室外空気の吸込口及び吹出口とが形成されている。各調湿ユニット（52a,52b）は、それぞれに形成された室内空気の吸込口及び吹出口の全てが同一の室内空間に連通するように設置されている。つまり、各調湿ユニット（52a,52b）は、同一の室内空間から室内空気を吸い込んで室外へ排出し、取り込んだ室外空気を同一の室内空間へ供給する。
【００３８】
また、各調湿ユニット（52a,52b）に形成された室内空気の吸込口及び吹出口が連通する室内空間は、空調機（20）の各室内ユニット（22a〜22d）の吸込口及び吹出口が連通する室内空間と同一の空間である。つまり、本実施形態の空調システム（10）では、各調湿ユニット（52a,52b）に形成された室内空気の吸込口及び吹出口と、各室内ユニット（22a〜22d）に形成された吸込口及び吹出口とは、何れも共通の室内空間に連通している。
【００３９】
〈制御システムの構成〉
上述したように、空調システム（10）の制御システム（90）は、空調側コントローラ（91）と調湿側コントローラ（92a,92b）とによって構成されている。
【００４０】
空調側コントローラ（91）は、空調機（20）の室外ユニット（21）に収容されている。空調側コントローラ（91）には、低圧センサ（27）や高圧センサ（26）の計測値が入力される。空調側コントローラ（91）は、空調機（20）の運転動作を制御するように構成されている。空調機（20）の運転中において、空調側コントローラ（91）は、空調用圧縮機（41）に接続されたインバータの出力周波数を制御することによって、空調機（20）が発揮する空調能力を調節する。
【００４１】
調湿側コントローラ（92a,92b）は、外気処理機（50）の調湿ユニット（52a,52b）に一つずつ収容されている。第１の調湿ユニット（52a）に設けられた調湿側コントローラ（92a）には、第１の調湿ユニット（52a）に設けられた室内温度センサ（55a）、室内湿度センサ（56a）、室外温度センサ（57a）、及び室外湿度センサ（58a）の計測値が入力される。この調湿側コントローラ（92a）は、第１の調湿ユニット（52a）の運転動作を制御するように構成されている。第２の調湿ユニット（52b）に設けられた調湿側コントローラ（92b）には、第２の調湿ユニット（52b）に設けられた室内温度センサ（55b）、室内湿度センサ（56b）、室外温度センサ（57b）、及び室外湿度センサ（58b）の計測値が入力される。この調湿側コントローラ（92b）は、第２の調湿ユニット（52b）の運転動作を制御するように構成されている。
【００４２】
第１の調湿ユニット（52a）に設けられた調湿側コントローラ（92a）は、調湿用圧縮機（71）の運転制御を行うように構成されている。外気処理機（50）の運転中において、調湿側コントローラ（92a）は、調湿用圧縮機（71）に接続されたインバータの出力周波数を制御することによって、外気処理機（50）が発揮する空調能力を調節する。
【００４３】
また、第１の調湿ユニット（52a）に設けられた調湿側コントローラ（92a）には、ユーザーによって設定された室内空気の温度の目標値（即ち、目標室内温度Ｔs）及び室内空気の相対湿度の目標値（即ち、目標室内湿度Ｈs）が、図外のリモコンを介して入力される。そして、この調湿側コントローラ（92a）は、図４に示すように、五つの動作（第１〜第５動作）を順次行うように構成されている。また、この調湿側コントローラ（92a）は、図４に示す五つの動作を、所定の時間が経過する毎に繰り返し行うように構成されている。
【００４４】
この調湿側コントローラ（92a）が行う第１〜第５動作の詳細は後述する。ここでは、各動作の概要を説明する。第１動作は、各センサ（55a,56a,…）の出力値等の必要なデータを取得する動作である。第２動作は、第１動作において取得したデータに基づき、空調システム（10）全体に要求される空調能力を算出する動作である。第３動作は、第２動作において算出した空調システム（10）全体に要求される空調能力に基づき、空調機（20）が発揮すべき第１目標空調能力と外気処理機（50）が発揮すべき第２目標空調能力とを決定する動作である。第４動作は、第３動作において決定した第１目標空調能力および第２目標空調能力に基づき、空調用圧縮機（41）の運転周波数の指令値と調湿用圧縮機（71）の運転周波数の指令値とを決定する動作である。第５動作は、第４動作において決定した空調用圧縮機（41）及び調湿用圧縮機（71）の運転周波数の指令値に基づき、各圧縮機（41,71）へ電力を供給するインバータに対して出力周波数を指令する動作である。
【００４５】
−運転動作−
空調システム（10）の運転動作について説明する。本実施形態の空調システム（10）において、空調機（20）では冷房運転と暖房運転が切り換え可能となり、外気処理機（50）では除湿運転と加湿運転が切り換え可能となっている。
【００４６】
〈空調機の運転動作〉
上述したように、空調機（20）では、冷房運転と暖房運転とが切り換え可能となっている。冷房運転中と暖房運転中の何れにおいても、空調機（20）の空調用冷媒回路（30）では、冷媒を循環させることによって蒸気圧縮冷凍サイクルが行われる。
【００４７】
空調機（20）の冷房運転について説明する。冷房運転中の空調用冷媒回路（30）では、四方切換弁（43）が第１状態（図１に実線で示す状態）に設定され、室外膨張弁（45）が全開状態に設定され、各室内膨張弁（37a〜37d）の開度が適宜調節される。また、冷房運転中の空調用冷媒回路（30）では、室外熱交換器（44）が凝縮器として動作し、各室内熱交換器（36a〜36d）が蒸発器として動作する。
【００４８】
冷房運転中の空調用冷媒回路（30）における冷媒の流れを具体的に説明する。空調用圧縮機（41）から吐出された高圧冷媒は、四方切換弁（43）を通過後に室外熱交換器（44）へ流入し、室外空気へ放熱して凝縮する。室外熱交換器（44）から流出した冷媒は、室外膨張弁（45）とレシーバ（46）を通過後に液側連絡配管（31）へ流入し、各室内回路（35a〜35d）へ分配される。各室内回路（35a〜35d）へ流入した冷媒は、室内膨張弁（37a〜37d）を通過する際に減圧されて低圧冷媒となり、その後に室内熱交換器（36a〜36d）へ流入し、室内空気から吸熱して蒸発する。各室内回路（35a〜35d）において室内熱交換器（36a〜36d）から流出した冷媒は、ガス側連絡配管（32）へ流入して合流した後に室外回路（40）へ流入し、四方切換弁（43）を通過後に空調用圧縮機（41）へ吸入されて圧縮される。
【００４９】
上述したように、冷房運転中には、各室内熱交換器（36a〜36d）が蒸発器として動作する。各室内ユニット（22a〜22d）は、吸い込んだ室内空気を室内熱交換器（36a〜36d）において冷却した後に室内へ送り返す。
【００５０】
空調機（20）の暖房運転について説明する。暖房運転中の空調用冷媒回路（30）では、四方切換弁（43）が第２状態（図１に破線で示す状態）に設定され、室外膨張弁（45）及び各室内膨張弁（37a〜37d）の開度が適宜調節される。また、暖房運転中の空調用冷媒回路（30）では、各室内熱交換器（36a〜36d）が凝縮器として動作し、室外熱交換器（44）が蒸発器として動作する。
【００５１】
暖房運転中の空調用冷媒回路（30）における冷媒の流れを具体的に説明する。空調用圧縮機（41）から吐出された冷媒は、四方切換弁（43）を通過後にガス側連絡配管（32）へ流入し、各室内回路（35a〜35d）へ分配される。各室内回路（35a〜35d）へ流入した冷媒は、室内熱交換器（36a〜36d）へ流入し、室内空気へ放熱して凝縮する。各室内回路（35a〜35d）において室内熱交換器（36a〜36d）から流出した冷媒は、室内膨張弁（37a〜37d）を通過後に液側連絡配管（31）へ流入して合流してから室外回路（40）へ流入する。室外回路（40）へ流入した冷媒は、レシーバ（46）を通過後に室外膨張弁（45）へ流入し、室外膨張弁（45）を通過する際に減圧されて低圧冷媒となる。室外膨張弁（45）を通過した冷媒は、室外熱交換器（44）へ流入し、室外空気から吸熱して蒸発する。室外熱交換器（44）から流出した冷媒は、四方切換弁（43）を通過後に空調用圧縮機（41）へ吸入されて圧縮される。
【００５２】
上述したように、暖房運転中には、各室内熱交換器（36a〜36d）が凝縮器として動作する。各室内ユニット（22a〜22d）は、吸い込んだ室内空気を室内熱交換器（36a〜36d）において加熱した後に室内へ送り返す。
【００５３】
〈外気処理機の運転動作〉
上述したように、外気処理機（50）では、除湿運転と加湿運転とが切り換え可能となっている。除湿運転中と加湿運転中の何れにおいても、外気処理機（50）の調湿用冷媒回路（60）では、冷媒を循環させることによって蒸気圧縮冷凍サイクルが行われる。
【００５４】
外気処理機（50）の除湿運転について、図２を参照しながら説明する。除湿運転中において、各調湿ユニット（52a,52b）は、第１動作と第２動作を交互に所定の時間毎（例えば３分間毎）に切り換えて行う。なお、各調湿ユニット（52a,52b）における第１動作と第２動作の相互切り換えのタイミングは、互いに同期している必要はない。
【００５５】
図２(Ａ)に示すように、第１動作中の調湿ユニット（52a,52b）では、四方切換弁（83a,83b）が第１状態に設定され、調湿用膨張弁（84a,84b）の開度が適宜調節される。そして、第１動作中の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。第２吸着熱交換器（82a,82b）では、その表面に担持された吸着剤が冷媒によって冷却される。
【００５６】
第１動作中の調湿用回路（80a,80b）における冷媒の流れを具体的に説明する。調湿用回路（80a,80b）の高圧側端には、調湿用圧縮機（71）から吐出された高圧冷媒が高圧側連絡配管（61）を通じて供給される。調湿用回路（80a,80b）へ流入した高圧冷媒は、四方切換弁（83a,83b）を通過後に第１吸着熱交換器（81a,81b）へ流入して凝縮する。第１吸着熱交換器（81a,81b）から流出した冷媒は、調湿用膨張弁（84a,84b）を通過する際に減圧されて低圧冷媒となり、その後に第２吸着熱交換器（82a,82b）へ流入して蒸発する。第２吸着熱交換器（82a,82b）から流出した冷媒は、四方切換弁（83a,83b）を通過後に低圧側連絡配管（62）へ流入し、その後に調湿用圧縮機（71）へ吸入されて圧縮される。
【００５７】
また、図２(Ａ)に示すように、第１動作中の調湿ユニット（52a,52b）では、室内空気が第１吸着熱交換器（81a,81b）へ送られ、室外空気が第２吸着熱交換器（82a,82b）へ送られる。第１吸着熱交換器（81a,81b）では、加熱された吸着剤から脱離した水分が室内空気に付与される。第１吸着熱交換器（81a,81b）を通過する際に加湿された室内空気は、排気ファン（54a,54b）に吸い込まれ、その後に室外へ排出される。一方、第２吸着熱交換器（82a,82b）では、室外空気中の水分が吸着剤に吸着され、その際に生じた吸着熱が冷媒に吸熱される。第２吸着熱交換器（82a,82b）を通過する際に除湿された室外空気は、給気ファン（53a,53b）に吸い込まれ、その後に室内へ供給される。
【００５８】
図２(Ｂ)に示すように、第２動作中の調湿ユニット（52a,52b）では、四方切換弁（83a,83b）が第２状態に設定され、調湿用膨張弁（84a,84b）の開度が適宜調節される。そして、第２動作中の調湿用回路（80a,80b）では、第２吸着熱交換器（82a,82b）が凝縮器として動作し、第１吸着熱交換器（81a,81b）が蒸発器として動作する。第２吸着熱交換器（82a,82b）では、その表面に担持された吸着剤が冷媒によって加熱される。第１吸着熱交換器（81a,81b）では、その表面に担持された吸着剤が冷媒によって冷却される。
【００５９】
第２動作中の調湿用回路（80a,80b）における冷媒の流れを具体的に説明する。調湿用回路（80a,80b）の高圧側端には、調湿用圧縮機（71）から吐出された高圧冷媒が高圧側連絡配管（61）を通じて供給される。調湿用回路（80a,80b）へ流入した高圧冷媒は、四方切換弁（83a,83b）を通過後に第２吸着熱交換器（82a,82b）へ流入して凝縮する。第２吸着熱交換器（82a,82b）から流出した冷媒は、調湿用膨張弁（84a,84b）を通過する際に減圧されて低圧冷媒となり、その後に第１吸着熱交換器（81a,81b）へ流入して蒸発する。第１吸着熱交換器（81a,81b）から流出した冷媒は、四方切換弁（83a,83b）を通過後に低圧側連絡配管（62）へ流入し、その後に調湿用圧縮機（71）へ吸入されて圧縮される。
【００６０】
また、図２(Ｂ)に示すように、第２動作中の調湿ユニット（52a,52b）では、室内空気が第２吸着熱交換器（82a,82b）へ送られ、室外空気が第１吸着熱交換器（81a,81b）へ送られる。第２吸着熱交換器（82a,82b）では、加熱された吸着剤から脱離した水分が室内空気に付与される。第２吸着熱交換器（82a,82b）を通過する際に加湿された室内空気は、排気ファン（54a,54b）に吸い込まれ、その後に室外へ排出される。一方、第１吸着熱交換器（81a,81b）では、室外空気中の水分が吸着剤に吸着され、その際に生じた吸着熱が冷媒に吸熱される。第１吸着熱交換器（81a,81b）を通過する際に除湿された室外空気は、給気ファン（53a,53b）に吸い込まれ、その後に室内へ供給される。
【００６１】
外気処理機（50）の加湿運転について、図３を参照しながら説明する。加湿運転中において、各調湿ユニット（52a,52b）は、第１動作と第２動作を交互に所定の時間毎（例えば３分間毎）に切り換えて行う。なお、各調湿ユニット（52a,52b）における第１動作と第２動作の相互切り換えのタイミングは、互いに同期している必要はない。
【００６２】
図３(Ａ)に示すように、第１動作中の調湿ユニット（52a,52b）では、四方切換弁（83a,83b）が第１状態に設定され、調湿用膨張弁（84a,84b）の開度が適宜調節される。そして、第１動作中の調湿用回路（80a,80b）では、第１吸着熱交換器（81a,81b）が凝縮器として動作し、第２吸着熱交換器（82a,82b）が蒸発器として動作する。第１吸着熱交換器（81a,81b）では、その表面に担持された吸着剤が冷媒によって加熱される。第２吸着熱交換器（82a,82b）では、その表面に担持された吸着剤が冷媒によって冷却される。第１動作中の調湿用回路（80a,80b）における冷媒の流れは、除湿運転の第１動作中の調湿用回路（80a,80b）における冷媒の流れと同じである。
【００６３】
また、図３(Ａ)に示すように、第１動作中の調湿ユニット（52a,52b）では、室外空気が第１吸着熱交換器（81a,81b）へ送られ、室内空気が第２吸着熱交換器（82a,82b）へ送られる。第１吸着熱交換器（81a,81b）では、加熱された吸着剤から脱離した水分が室外空気に付与される。第１吸着熱交換器（81a,81b）を通過する際に加湿された室外空気は、給気ファン（53a,53b）に吸い込まれ、その後に室内へ供給される。一方、第２吸着熱交換器（82a,82b）では、室内空気中の水分が吸着剤に吸着され、その際に生じた吸着熱が冷媒に吸熱される。第２吸着熱交換器（82a,82b）を通過する際に除湿された室内空気は、排気ファン（54a,54b）に吸い込まれ、その後に室外へ排出される。
【００６４】
図３(Ｂ)に示すように、第２動作中の調湿ユニット（52a,52b）では、四方切換弁（83a,83b）が第２状態に設定され、調湿用膨張弁（84a,84b）の開度が適宜調節される。そして、第２動作中の調湿用回路（80a,80b）では、第２吸着熱交換器（82a,82b）が凝縮器として動作し、第１吸着熱交換器（81a,81b）が蒸発器として動作する。第２吸着熱交換器（82a,82b）では、その表面に担持された吸着剤が冷媒によって加熱される。第１吸着熱交換器（81a,81b）では、その表面に担持された吸着剤が冷媒によって冷却される。第２動作中の調湿用回路（80a,80b）における冷媒の流れは、除湿運転の第２動作中の調湿用回路（80a,80b）における冷媒の流れと同じである。
【００６５】
また、図３(Ｂ)に示すように、第２動作中の調湿ユニット（52a,52b）では、室外空気が第２吸着熱交換器（82a,82b）へ送られ、室内空気が第１吸着熱交換器（81a,81b）へ送られる。第２吸着熱交換器（82a,82b）では、加熱された吸着剤から脱離した水分が室外空気に付与される。第２吸着熱交換器（82a,82b）を通過する際に加湿された室外空気は、給気ファン（53a,53b）に吸い込まれ、その後に室内へ供給される。一方、第１吸着熱交換器（81a,81b）では、室内空気中の水分が吸着剤に吸着され、その際に生じた吸着熱が冷媒に吸熱される。第１吸着熱交換器（81a,81b）を通過する際に除湿された室内空気は、排気ファン（54a,54b）に吸い込まれ、その後に室外へ排出される。
【００６６】
〈制御システムの動作〉
空調側コントローラ（91）と調湿側コントローラ（92a,92b）とによって構成された制御システム（90）の動作について説明する。
【００６７】
空調側コントローラ（91）は、空調用冷媒回路（30）に設けられた四方切換弁（43）や室外膨張弁（45）に対する制御動作や、室外ファン（23）等に対する制御動作を行う。各調湿ユニット（52a,52b）に設けられた調湿側コントローラ（92a,92b）は、調湿用回路（80a,80b）に設けられた四方切換弁（83a,83b）や調湿用膨張弁（84a,84b）に対する制御動作を行う。
【００６８】
また、上述したように、第１調湿ユニット（52a）に設けられた調湿側コントローラ（92a）は、図４に示す五つの動作を行う。この調湿側コントローラ（92a）は、図４に示す第１〜第５動作を順に行う動作を一連の制御動作とし、この一連の制御動作を所定の時間が経過する毎（例えば、１２分毎）に繰り返し行う。なお、調湿側コントローラ（92a）において、第１〜第５動作から成る制御動作の時間間隔は、各調湿ユニット（52a,52b）における第１動作と第２動作の切り換え時間間隔よりも長い値に設定されている。以下では、この調湿側コントローラ（92a）が行う第１〜第５動作のそれぞれについて、詳細に説明する。
【００６９】
=== 第１動作 ===
調湿側コントローラ（92a）は、第１動作として、必要なデータを取得する動作を行う。具体的に、調湿側コントローラ（92a）は、第１の調湿ユニット（52a）に設けられた室内温度センサ（55a）、室内湿度センサ（56a）、室外温度センサ（57a）、及び室外湿度センサ（58a）のそれぞれから計測値を取得する。また、調湿側コントローラ（92a）は、目標室内温度Ｔs（室内空気の温度の目標値）及び目標室内湿度Ｈs（室内空気の相対湿度の目標値）を、図外のリモコンから取得する。
【００７０】
=== 第２動作 ===
調湿側コントローラ（92a）は、第１動作が終了すると第２動作を実行する。調湿側コントローラ（92a）は、第２動作として、空調システム（10）全体に要求される空調能力（総計要求能力Ｑ）を算出する動作を行う。総計要求能力Ｑは、室内の空気調和に必要な空調能力Ｑ1と、外気処理に必要な空調能力Ｑ2との和である（Ｑ＝Ｑ1＋Ｑ2）。そこで、調湿側コントローラ（92a）は、室内の空気調和に必要な空調能力Ｑ1と、外気処理に必要な空調能力Ｑ2とを個別に算出し、それらを足し合わせることによって総計要求能力Ｑを算出する。
【００７１】
調湿側コントローラ（92a）の第２動作について、空調機（20）が冷房運転を行い、外気処理機（50）が除湿運転を行っている場合を例に、図５を参照しながら説明する。同図において、点Ａは室外空気の状態を、点Ｂは現時点における室内空気の状態を、点Ｃは目標とする室内空気の状態を、それぞれ表している。点Ａの状態は、乾球温度が室外温度センサ（57a）の計測値となり、相対湿度が室外湿度センサ（58a）の計測値となっている状態である。点Ｂの状態は、乾球温度が室内温度センサ（55a）の計測値となり、相対湿度が室内湿度センサ（56a）の計測値となっている状態である。点Ｃの状態は、乾球温度が目標室内温度Ｔsとなり、相対湿度が目標室内湿度Ｈsとなっている状態である。
【００７２】
先ず、調湿側コントローラ（92a）が外気処理に必要な空調能力Ｑ2を算出する動作について説明する。図５に示すように、外気処理に必要な空調能力Ｑ2は、点Ａの状態の室外空気を点Ｃの状態にするために必要な空調能力である。そこで、調湿側コントローラ（92a）は、点Ａの状態の湿り空気と点Ｃの状態の湿り空気の比エンタルピの差ｈ_2を算出する。そして、調湿側コントローラ（92a）は、第１の調湿ユニット（52a）が室内へ供給する室外空気の流量と、第２の調湿ユニット（52b）が室内へ供給する室外空気の流量との合計値Ｖoaを比エンタルピ差ｈ_2に乗ずることによって、外気処理に必要な空調能力Ｑ2を算出する（Ｑ2＝ｈ_2×Ｖoa）。
【００７３】
次に、調湿側コントローラ（92a）が室内の空気調和に必要な空調能力Ｑ1を算出する動作について説明する。図５に示すように、室内の空気調和に必要な空調能力Ｑ1は、点Ｂの状態の室内空気を点Ｃの状態にするために必要な空調能力である。
【００７４】
ところで、室内の空気調和に必要な空調能力Ｑ1は、在室者の人数や発熱源となるＯＡ機器の台数などの影響を受ける値である。このため、現時点での室内空気の状態（点Ｂの状態）と目標とする室内空気の状態（点Ｃの状態）とが分かっても、それから空調能力Ｑ1を理論的に算出することはできない。そこで、調湿側コントローラ（92a）は、点Ｂの状態と点Ｃの状態の乾球温度差（即ち、室内温度センサ（55a）の計測値Ｔrと目標室内温度Ｔsの差(Ｔr−Ｔs)）と、空調機（20）の定格能力Ｑac0とを用いて、室内の空気調和に必要な空調能力Ｑ1を推定する。
【００７５】
具体的に、調湿側コントローラ（92a）は、温度差(Ｔr−Ｔs)が所定の基準値ΔＴm以上の場合（Ｔr−Ｔs≧ΔＴm）には、室内の空気調和に必要な空調能力Ｑ1が空調機（20）の定格能力Ｑac0に等しい（Ｑ1＝Ｑac0）と推定し、温度差(Ｔr−Ｔs)がゼロの場合（Ｔr＝Ｔs）には、室内の空気調和に必要な空調能力Ｑ1がゼロである（Ｑ1＝０）と推定する。また、調湿側コントローラ（92a）は、温度差(Ｔr−Ｔs)がゼロより大きくて基準値ΔＴm未満の場合（０＜Ｔr−Ｔs＜ΔＴm）には、温度差(Ｔr−Ｔs)の値に応じた係数を空調機（20）の定格能力Ｑac0に乗じて得られた値を、室内の空気調和に必要な空調能力Ｑ1の値であると推定する。つまり、０＜Ｔr−Ｔs＜ΔＴmである場合において、調湿側コントローラ（92a）は、例えば「Ｑ1＝{(Ｔr−Ｔs)/ΔＴm}×Ｑac0」という数式を用いて空調能力Ｑ1の値を推定する。
【００７６】
=== 第３動作 ===
調湿側コントローラ（92a）は、第２動作が終了すると第３動作を実行する。調湿側コントローラ（92a）は、第３動作として、空調機（20）が発揮すべき第１目標空調能力Ｑac_setと外気処理機（50）が発揮すべき第２目標空調能力Ｑdc_setとを決定する動作を行う。この第３動作において、調湿側コントローラ（92a）は、第１目標空調能力Ｑac_setと第２目標空調能力Ｑdc_setの和が総計要求能力Ｑとなる（Ｑ＝Ｑac_set＋Ｑdc_set）という条件の下で、空調機（20）の消費電力Ｗacと外気処理機（50）の消費電力Ｗdcの和（即ち、空調システム（10）全体の消費電力Ｗs(＝Ｗac＋Ｗdc)）が最小となるように、第１目標空調能力Ｑac_set及び第２目標空調能力Ｑdc_setの値を決定する。
【００７７】
調湿側コントローラ（92a）は、第３動作を行うために、第１運転特性データと第２運転特性データとを予め記憶している。第１運転特性データは、空調機（20）における空調能力と消費電力の関係を示すデータであって、図６に示すようなマトリックスとして調湿側コントローラ（92a）に記録されている。一方、第２運転特性データは、外気処理機（50）における空調能力と消費電力の関係を示すデータであって、図７に示すようなマトリックスとして調湿側コントローラ（92a）に記録されている。
【００７８】
先ず、第１運転特性データについて説明する。図６に示すように、第１運転特性データは、異なる能力比について作成された複数のマトリックスによって構成されている。第１運転特性データを構成する各マトリックスは、室内空気の湿球温度（Ｔ1,Ｔ2,…）と室外空気の乾球温度（Ｔa,Ｔb,…）とで決まる複数の運転条件において空調機（20）が発揮する空調能力と、その空調能力を発揮する状態における空調機（20）の消費電力とによって構成される。なお、図６には、「能力比：１００％」のマトリックスと「能力比：９０％」のマトリックスだけを図示しているが、調湿側コントローラ（92a）には、それ以外の能力比についてのマトリックスも記録されている。
【００７９】
ここで、仮に、定格運転条件が“室内空気の湿球温度がＴ3で、室外空気の乾球温度Ｔdである運転条件”であるとする。この場合、図６における「能力比：１００％」のマトリックスを構成する「Ｑd3(100)」の値が、空調機（20）の定格能力となる。また、「Ｗd3(100)」の値は、定格運転条件において空調機（20）が定格能力を発揮しているときに空調機（20）が消費する電力である。
【００８０】
この定格運転条件において空調機（20）が空調能力「Ｑd3(100)」を発揮しているときの空調用圧縮機（41）の運転周波数が「Ｆac_100」であるとする。そして、この「能力比：１００％」のマトリックスにおいて、例えば「Ｑb2(100)」の値は、“室内空気の湿球温度がＴ2で、室外空気の乾球温度Ｔbである運転条件”において空調用圧縮機（41）の運転周波数を「Ｆac_100」に設定したときに空調機（20）が発揮する空調能力であり、「Ｗb2(100)」の値は、この運転条件で空調機（20）が空調能力「Ｑb2(100)」を発揮しているときの空調機（20）の消費電力である。つまり、第１運転特性データを構成する「能力比：１００％」のマトリックスは、空調用圧縮機（41）の運転周波数を「Ｆac_100」に設定したときに各運転条件において空調機（20）が発揮する空調能力と、そのときの空調機（20）の消費電力とを示している。
【００８１】
図６の「能力比：９０％」のマトリックスにおいて、定格運転条件における空調機（20）の空調能力を示す「Ｑd3(90)」の値は、定格能力である「Ｑd3(100)」の値の９０％である（Ｑd3(90)＝０.９×Ｑd3(100)）。また、「Ｗd3(90)」の値は、定格運転条件において空調機（20）が空調能力「Ｑd3(90)」を発揮しているときの空調機（20）の消費電力である。
【００８２】
この定格運転条件において空調機（20）が空調能力「Ｑd3(90)」を発揮しているときの空調用圧縮機（41）の運転周波数が「Ｆac_90」であるとする。そして、この「能力比：９０％」のマトリックスにおいて、例えば「Ｑe4(90)」の値は、“室内空気の湿球温度がＴ4で、室外空気の乾球温度Ｔeである運転条件”において空調用圧縮機（41）の運転周波数を「Ｆac_90」に設定したときに空調機（20）が発揮する空調能力であり、「Ｗe4(90)」の値は、この運転条件で空調機（20）が空調能力「Ｑe4(90)」を発揮しているときの空調機（20）の消費電力である。つまり、第１運転特性データを構成する「能力比：９０％」のマトリックスは、空調用圧縮機（41）の運転周波数を「Ｆac_90」に設定したときに各運転条件において空調機（20）が発揮する空調能力と、そのときの空調機（20）の消費電力とを示している。
【００８３】
次に、第２運転特性データについて説明する。図７に示すように、第２運転特性データは、異なる能力比について作成された複数のマトリックスによって構成されている。第２運転特性データを構成する各マトリックスは、室内空気の乾球温度（Ｔ1,Ｔ2,…）及び相対湿度（ｒ1,ｒ2,…）と室外空気の乾球温度（Ｔa,Ｔb,…）及び相対湿度（Ｒ1,Ｒ2,…）とで決まる複数の運転条件において外気処理機（50）が発揮する空調能力と、その空調能力を発揮する状態における外気処理機（50）の消費電力とによって構成される。なお、図７には、「能力比：１００％」のマトリックスと「能力比：９０％」のマトリックスだけを図示しているが、調湿側コントローラ（92a）には、それ以外の能力比についてのマトリックスも記録されている。
【００８４】
ここで、仮に、定格運転条件が“室内空気の湿球温度がＴ2且つ相対湿度がｒ2で、室外空気の乾球温度Ｔb且つ相対湿度がＲ2である運転条件”であるとする。この場合、図７における「能力比：１００％」のマトリックスを構成する「Ｑb2_22(100)」の値が、外気処理機（50）の定格能力となる。また、「Ｑsb2_22(100)」の値は、外気処理機（50）が発揮する定格能力のうちの顕熱能力（即ち、室外空気の温度を変化させるために用いられる能力）であり、「Ｗb2_22(100)」の値は、定格運転条件において外気処理機（50）が定格能力を発揮しているときに外気処理機（50）が消費する電力である。
【００８５】
この定格運転条件において外気処理機（50）が空調能力「Ｑb2_22(100)」を発揮しているときの調湿用圧縮機（71）の運転周波数が「Ｆdc_100」であるとする。そして、この「能力比：１００％」のマトリックスにおいて、例えば「Ｑa1_13(100)」の値は、“室内空気の湿球温度がＴ1且つ相対湿度がｒ3で、室外空気の乾球温度Ｔa且つ相対湿度がＲ1である運転条件”において調湿用圧縮機（71）の運転周波数を「Ｆdc_100」に設定したときに外気処理機（50）が発揮する空調能力である。また、「Ｑsa1_13(100)」の値は、外気処理機（50）が発揮する空調能力「Ｑa1_13(100)」のうちの顕熱能力であり、「Ｗa1_13(100)」の値は、この運転条件で外気処理機（50）が空調能力「Ｑa1_13(100)」を発揮しているときの外気処理機（50）の消費電力である。つまり、第２運転特性データを構成する「能力比：１００％」のマトリックスは、調湿用圧縮機（71）の運転周波数を「Ｆdc_100」に設定したときに各運転条件において調湿用圧縮機（71）が発揮する空調能力と、そのときの外気処理機（50）の消費電力とを示している。
【００８６】
図７の「能力比：９０％」のマトリックスにおいて、定格運転条件における外気処理機（50）の空調能力を示す「Ｑb2_22(90)」の値は、定格能力である「Ｑb2_22(100)」の値の９０％である（Ｑb2_22(90)＝０.９×Ｑb2_22(100)）。また、「Ｑsb2_22(90)」の値は、外気処理機（50）が発揮する空調能力「Ｑb2_22(90)」のうちの顕熱能力であり、「Ｗb2_22(90)」の値は、定格運転条件において外気処理機（50）が空調能力「Ｑb2_22(90)」を発揮しているときにの外気処理機（50）の消費電力である。
【００８７】
この定格運転条件において外気処理機（50）が空調能力「Ｑb2_22(90)」を発揮しているときの調湿用圧縮機（71）の運転周波数が「Ｆdc_90」であるとする。そして、この「能力比：９０％」のマトリックスにおいて、例えば「Ｑa2_32(90)」の値は、“室内空気の湿球温度がＴ2且つ相対湿度がｒ2で、室外空気の乾球温度Ｔa且つ相対湿度がＲ3である運転条件”において調湿用圧縮機（71）の運転周波数を「Ｆdc_90」に設定したときに外気処理機（50）が発揮する空調能力である。また、「Ｑsa2_32(90)」の値は、外気処理機（50）が発揮する空調能力「Ｑa2_32(90)」のうちの顕熱能力であり、「Ｗa2_32(90)」の値は、この運転条件で外気処理機（50）が空調能力「Ｑa2_32(90)」を発揮しているときの外気処理機（50）の消費電力である。つまり、第２運転特性データを構成する「能力比：９０％」のマトリックスは、調湿用圧縮機（71）の運転周波数を「Ｆdc_90」に設定したときに各運転条件において調湿用圧縮機（71）が発揮する空調能力と、そのときの外気処理機（50）の消費電力とを示している。
【００８８】
調湿側コントローラ（92a）が第１目標空調能力Ｑac_setと第２目標空調能力Ｑdc_setを決定する動作について説明する。ここでは、空調機（20）の定格能力が４０ｋＷ、外気処理機（50）の定格能力が１２ｋＷで、且つ空調システム（10）全体に要求される空調能力（総計要求能力Ｑ）が３０ｋＷである場合を例に、図８を参照しながら説明する。なお、図８に示す数値は、何れも単なる一例である。
【００８９】
この場合、調湿側コントローラ（92a）は、空調機（20）の空調能力Ｑacと外気処理機（50）の空調能力Ｑdcの和（Ｑac＋Ｑdc）が総計要求能力Ｑ（図８の例では３０ｋＷ）となるように、空調機（20）の空調能力Ｑacと外気処理機（50）の空調能力Ｑdcの組合せを複数組み抽出する。そして、調湿側コントローラ（92a）は、抽出した空調機（20）の空調能力Ｑacと外気処理機（50）の空調能力Ｑdcの組合せのそれぞれについて、空調機（20）の消費電力と外気処理機（50）の消費電力とを、第１運転特性データおよび第２運転特性データを用いて算出する。
【００９０】
先ず、調湿側コントローラ（92a）が空調機（20）の消費電力を算出する動作について説明する。仮に、室内空気の湿球温度が２０℃で室外空気の乾球温度が３２℃であったとする。なお、室内空気の湿球温度は、室内温度センサ（55a）および室内湿度センサ（56a）の計測値から算出される。また、室外空気の乾球温度は、室外温度センサ（57a）の計測値である。
【００９１】
例えば、空調機（20）の空調能力Ｑacが２２ｋＷのときの空調機（20）の消費電力Ｗacを算出する場合、調湿側コントローラ（92a）は、“室内空気の湿球温度が２０℃で室外空気の乾球温度が３２℃である運転条件”において空調機（20）の空調能力Ｑacが２２ｋＷとなるときの能力比を、第１運転特性データを用いて決定する。そして、調湿側コントローラ（92a）は、第１運転特性データを構成するマトリックスのうち決定した能力比に対応するものを参照し、“室内空気の湿球温度が２０℃で室外空気の乾球温度が３２℃である運転条件”において空調機（20）の空調能力Ｑacが２２ｋＷとなるときの消費電力Ｗacを算出する。
【００９２】
次に、調湿側コントローラ（92a）が外気処理機（50）の消費電力を算出する動作について説明する。仮に、室内空気の乾球温度が２５℃で相対湿度が６０％であり、室外空気の乾球温度が３２℃で相対湿度が８０％であるとする。なお、室内空気の乾球温度は室内温度センサ（55a）の計測値であり、室内空気の相対湿度は室内湿度センサ（56a）の計測値である。また、室外空気の乾球温度は室外温度センサ（57a）の計測値であり、室外空気の相対湿度は室外湿度センサ（58a）の計測値である。
【００９３】
例えば、外気処理機（50）の空調能力Ｑdcが８ｋＷのときの外気処理機（50）の消費電力Ｗdcを算出する場合、調湿側コントローラ（92a）は、“室内空気の乾球温度が２５℃且つ相対湿度が６０％で、室外空気の乾球温度が３２℃且つ相対湿度が８０％である運転条件”において外気処理機（50）の空調能力Ｑdcが８ｋＷとなるときの能力比を、第２運転特性データを用いて決定する。そして、調湿側コントローラ（92a）は、第２運転特性データを構成するマトリックスのうち決定した能力比に対応するものを参照し、“室内空気の乾球温度が２５℃且つ相対湿度が６０％で、室外空気の乾球温度が３２℃且つ相対湿度が８０％である運転条件”において外気処理機（50）の空調能力Ｑdcが８ｋＷとなるときの消費電力Ｗdcを算出する。
【００９４】
調湿側コントローラ（92a）は、抽出した空調機（20）の空調能力Ｑacと外気処理機（50）の空調能力Ｑdcの組合せのそれぞれについて、空調機（20）の消費電力Ｗacと外気処理機（50）の消費電力Ｗdcの和（即ち、空調システム（10）全体の消費電力Ｗs(＝Ｗac＋Ｗdc)）を算出する。そして、調湿側コントローラ（92a）は、各組合せにおける消費電力Ｗsを比較し、消費電力Ｗsが最小となる空調機（20）の空調能力Ｑacと外気処理機（50）の空調能力Ｑdcの組合せ選択し、その組合せにおける空調能力Ｑacの値を第１目標空調能力Ｑac_setとし、その組合せにおける空調能力Ｑdcの値を第２目標空調能力Ｑdc_setとする。つまり、図８に示す例では、消費電力Ｗsの最小値が７.７ｋＷであり、その時の空調機（20）の空調能力Ｑacは２２ｋＷであり、その時の外気処理機（50）の空調能力Ｑdcは８ｋＷである。従って、この例において、調湿側コントローラ（92a）は、第１目標空調能力Ｑac_setの値を２２ｋＷとし、第２目標空調能力Ｑdc_setの値を８ｋＷとする。
【００９５】
=== 第４動作 ===
調湿側コントローラ（92a）は、第３動作が終了すると第４動作を実行する。調湿側コントローラ（92a）は、第４動作として、空調用圧縮機（41）の運転周波数の指令値と調湿用圧縮機（71）の運転周波数の指令値とを決定する動作を行う。
【００９６】
先ず、調湿側コントローラ（92a）が空調用圧縮機（41）の運転周波数の指令値を決定する動作について説明する。ここで、室内空気の乾球温度および相対湿度と室外空気の乾球温度とが分かれば、その運転条件において空調機（20）が第１目標空調能力Ｑac_setを発揮するときの空調機（20）の能力比（目標能力比）が決まる。一方、上述したように、第１運転特性データを構成する各マトリックスは、空調用圧縮機（41）の運転周波数を所定値（Ｆac_100,Ｆac_90,…）に設定したときに各運転条件において空調機（20）が発揮する空調能力と、そのときの空調機（20）の消費電力とを示している。従って、空調機（20）の目標能力比が決まれば、その目標能力比に対応する空調用圧縮機（41）の運転周波数が決まる。そこで、調湿側コントローラ（92a）は、その目標能力比に対応する空調用圧縮機（41）の運転周波数を、空調用圧縮機（41）の運転周波数の指令値に設定する。
【００９７】
次に、調湿側コントローラ（92a）が調湿用圧縮機（71）の運転周波数の指令値を決定する動作について説明する。ここで、室内空気の乾球温度および相対湿度と室外空気の乾球温度および相対湿度とが分かれば、その運転条件において外気処理機（50）が第２目標空調能力Ｑdc_setを発揮するときの外気処理機（50）の能力比（目標能力比）が決まる。一方、上述したように、第２運転特性データを構成する各マトリックスは、調湿用圧縮機（71）の運転周波数を所定値（Ｆdc_100,Ｆdc_90,…）に設定したときに各運転条件において外気処理機（50）が発揮する空調能力と、そのときの外気処理機（50）の消費電力とを示している。従って、外気処理機（50）の目標能力比が決まれば、その目標能力比に対応する調湿用圧縮機（71）の運転周波数が決まる。そこで、調湿側コントローラ（92a）は、その目標能力比に対応する調湿用圧縮機（71）の運転周波数を、調湿用圧縮機（71）の運転周波数の指令値に設定する。
【００９８】
=== 第５動作 ===
調湿側コントローラ（92a）は、第４動作が終了すると第５動作を実行する。調湿側コントローラ（92a）は、第５動作として、各圧縮機（41,71）へ電力を供給するインバータに対して出力周波数を指令する動作を行う。
【００９９】
具体的に、この第５動作において、調湿側コントローラ（92a）は、空調用圧縮機（41）へ電力を供給するインバータに対し、第４動作において決定した空調用圧縮機（41）の運転周波数の指令値を、そのインバータの出力周波数の指令値として送信する。その結果、空調用圧縮機（41）へ供給される電力の周波数が、第４動作で決定された空調用圧縮機（41）の運転周波数の指令値となり、空調機（20）の発揮する空調能力が第１目標空調能力となる。
【０１００】
また、この第５動作において、調湿側コントローラ（92a）は、調湿用圧縮機（71）へ電力を供給するインバータに対し、第４動作において決定した調湿用圧縮機（71）の運転周波数の指令値を、そのインバータの出力周波数の指令値として送信する。その結果、調湿用圧縮機（71）へ供給される電力の周波数が、第４動作で決定された調湿用圧縮機（71）の運転周波数の指令値となり、外気処理機（50）の発揮する空調能力が第２目標空調能力となる。
【０１０１】
−実施形態の効果−
本実施形態において、制御システム（90）は、第１目標空調能力Ｑac_setと第２目標空調能力Ｑdc_setとを、第１目標空調能力Ｑac_setと第２目標空調能力Ｑdc_setの和（Ｑac_set＋Ｑdc_set）が総計要求能力Ｑ（即ち、空調システム（10）全体に要求される空調能力）と等しくなるという条件下において空調機（20）の消費電力Ｗacと外気処理機（50）の消費電力Ｗdcの和（Ｗac＋Ｗdc）が最小となるように決定する。そして、本実施形態では、空調機（20）が第１目標空調能力を発揮して外気処理機（50）が第２目標空調能力を発揮するように、制御システム（90）が空調用圧縮機（41）及び調湿用圧縮機（71）の運転周波数を調節する。従って、本実施形態によれば、空調システム（10）に総計要求能力Ｑを発揮させつつ、空調システム（10）の消費電力Ｗsを必要最低限に抑えることが可能となる。
【０１０２】
−実施形態の変形例１−
上記の実施形態では、“空調機（20）の全熱能力Ｑacと外気処理機（50）の全熱量力Ｑdcとの和（Ｑac＋Ｑdc）が空調システム（10）全体に要求される全熱能力（総計要求能力Ｑ）になる”という条件の下で空調機（20）の消費電力Ｗacと外気処理機（50）の消費電力Ｗdcとの和（Ｗac＋Ｗdc）が最小となるように、空調機（20）の全熱能力Ｑacの目標値を第１目標空調能力Ｑac_setに設定し、外気処理機（50）の全熱量力Ｑdcの目標値を第２目標空調能力Ｑdc_setに設定している。なお、全熱能力とは、処理対象の空気の温度を調節するのに要する能力である顕熱能力と、処理対象の空気の絶対湿度を調節するのに要する能力である潜熱能力との和である。
【０１０３】
このように、上記の実施形態では、全熱能力を基準に第１目標空調能力と第２目標空調能力を設定している。一方、上記の実施形態では、顕熱能力を基準に第１目標空調能力と第２目標空調能力を設定することも可能であるし、潜熱能力を基準に第１目標空調能力と第２目標空調能力を設定することも可能である。
【０１０４】
先ず、調湿側コントローラ（92a）が顕熱能力を基準に第１目標空調能力Ｑac_setと第２目標空調能力Ｑdc_setを設定する場合について、図５〜７を参照しながら説明する。
【０１０５】
なお、図５において、点Ａの状態の空気（即ち、実際の室外空気）の乾球温度をＴaとして絶対湿度をＸaとし、点Ｂの状態の空気（即ち、実際の室内空気）の乾球温度をＴbとして絶対湿度をＸbとし、点Ｃの状態の空気（乾球温度が目標室内温度Ｔsで相対湿度が目標室内湿度Ｈsの湿り空気）の絶対湿度をＸcとする。また、点Ｄの状態の空気は、乾球温度がＴaで絶対湿度がＸcとなった湿り空気であり、点Ｅの状態の空気は、乾球温度がＴbで絶対湿度がＸcとなった湿り空気であり、
図５において、外気処理に必要な顕熱能力Ｑ2sは、点Ｄの状態と点Ｃの状態の比エンタルピ差ｈ_s2に、第１及び第２の調湿ユニット（52a,52b）が室内へ供給する室外空気の流量Ｖoaを乗ずることによって算出される（Ｑ2s＝ｈ_s2×Ｖoa）。ここで、室内の空気調和に必要な全熱能力のうちの顕熱能力の割合Ｒsは、点Ｅの状態と点Ｃの状態の比エンタルピ差ｈ_s1を点Ｂの状態と点Ｃの状態の比エンタルピ差ｈ_1で除することによって得られる（Ｒs＝ｈ_s1／ｈ_1）。一方、室内の空気調和に必要な全熱能力Ｑ1は、制御システム（90）の第２動作についての説明で述べたのと同じ手順で推定できる。そして、室内の空気調和に必要な顕熱能力Ｑ1sは、室内の空気調和に必要な全熱能力Ｑ1に割合Ｒsを乗ずることによって得られる（Ｑ1s＝Ｑ1×Ｒs）。また、空調システム（10）全体に要求される顕熱能力Ｑsは、室内の空気調和に必要な顕熱能力Ｑ1sと外気処理に必要な顕熱能力Ｑ2sを足し合わせることによって算出される（Ｑs＝Ｑ1s＋Ｑ2s）。
【０１０６】
図６に示す第１運転特性データでは、空調機（20）の全熱能力が記録されているが、この全熱能力を顕熱能力Ｑs_acと潜熱能力Ｑr_acに予め分けておくことは可能である。なお、空調機（20）の冷房運転中には、蒸発器となった室内熱交換器（36a,36b,…）において空気中の水分が凝縮するため、空調機（20）の冷房能力（全熱能力）は、顕熱能力と潜熱能力に分けられる。また、空調機（20）の暖房運転中には、凝縮器となった室内熱交換器（36a,36b,…）において空気の温度だけが上昇するため、空調機（20）の暖房能力（全熱能力）は、その全部が顕熱能力である。一方、図７に示す第２運転特性データでは、外気処理機（50）の顕熱能力Ｑs_dcが既に記録されている。
【０１０７】
この場合において、調湿側コントローラ（92a）は、空調機（20）の顕熱能力Ｑs_acの目標値と外気処理機（50）の顕熱量力Ｑs_dcの目標値とを、空調機（20）の顕熱能力Ｑs_acと外気処理機（50）の顕熱能力Ｑs_dcの和が空調システム（10）全体に要求される顕熱能力Ｑsになる（Ｑs＝Ｑs_ac＋Ｑs_dc）という条件の下で空調機（20）の消費電力と外気処理機（50）の消費電力の和が最小となるように決定する。そして、調湿側コントローラ（92a）は、このようにして決定した空調機（20）の顕熱能力Ｑs_acの目標値を第１目標空調能力Ｑac_setに、外気処理機（50）の顕熱量力Ｑs_dcの目標値を第２目標空調能力Ｑdc_setに、それぞれ設定する。
【０１０８】
次に、調湿側コントローラ（92a）が潜熱能力を基準に第１目標空調能力Ｑac_setと第２目標空調能力Ｑdc_setを設定する場合について、図５〜７を参照しながら説明する。
【０１０９】
図５において、外気処理に必要な潜熱能力Ｑ2sは、点Ａの状態と点Ｄの状態の比エンタルピ差ｈ_r2に、第１及び第２の調湿ユニット（52a,52b）が室内へ供給する室外空気の流量Ｖoaを乗ずることによって算出される（Ｑ2r＝ｈ_r2×Ｖoa）。ここで、室内の空気調和に必要な全熱能力のうちの潜熱能力の割合Ｒrは、点Ｂの状態と点Ｅの状態の比エンタルピ差ｈ_r1を点Ｂの状態と点Ｃの状態の比エンタルピ差ｈ_1で除することによって得られる（Ｒr＝ｈ_r1／ｈ_1）。一方、室内の空気調和に必要な全熱能力Ｑ1は、制御システム（90）の第２動作についての説明で述べたのと同じ手順で推定できる。そして、室内の空気調和に必要な潜熱能力Ｑ1rは、室内の空気調和に必要な全熱能力Ｑ1に割合Ｒrを乗ずることによって得られる（Ｑ1r＝Ｑ1×Ｒr）。また、空調システム（10）全体に要求される潜熱能力Ｑrは、室内の空気調和に必要な潜熱能力Ｑ1rと外気処理に必要な潜熱能力Ｑ2rを足し合わせることによって算出される（Ｑr＝Ｑ1r＋Ｑ2r）。
【０１１０】
上述したように、図６に示す第１運転特性データでは、空調機（20）の全熱能力が記録されているが、この全熱能力を顕熱能力Ｑs_acと潜熱能力Ｑr_acに予め分けておくことは可能である。一方、図７に示す第２運転特性データでは、外気処理機（50）の顕熱能力Ｑs_dcが既に記録されているため、外気処理機（50）の潜熱能力Ｑr_dcは、外気処理機（50）の全熱能力Ｑdcから外気処理機（50）の顕熱能力Ｑs_dcを差し引くことによって算出される（Ｑr_dc＝Ｑdc−Ｑs_dc）。
【０１１１】
この場合において、調湿側コントローラ（92a）は、空調機（20）の潜熱能力Ｑr_acの目標値と外気処理機（50）の潜熱量力Ｑr_dcの目標値を、空調機（20）の潜熱能力Ｑr_acと外気処理機（50）の潜熱能力Ｑr_dcの和が空調システム（10）全体に要求される潜熱能力Ｑrになる（Ｑr＝Ｑr_ac＋Ｑr_dc）という条件の下で空調機（20）の消費電力と外気処理機（50）の消費電力の和が最小となるように決定する。そして、調湿側コントローラ（92a）は、このようにして決定した空調機（20）の潜熱能力Ｑr_acの目標値を第１目標空調能力Ｑac_setに、外気処理機（50）の潜熱量力Ｑr_dcの目標値を第２目標空調能力Ｑdc_setに、それぞれ設定する。
【０１１２】
−実施形態の変形例２−
図９に示すように、上記の実施形態では、各調湿ユニット（52a,52b）に調湿用圧縮機（71a,71b）が一台ずつ搭載されていてもよい。図９に示す空調システム（10）では、外気処理機（50）が二台の調湿ユニット（52a,52b）だけによって構成される。各調湿ユニット（52b）の調湿用回路（80a,80b）において、調湿用圧縮機（71a,71b）は、その吐出側が四方切換弁（83a,83b）の第１のポートに接続され、その吸入側がアキュームレータ（72a,72b）を介して四方切換弁（83a,83b）の第２のポートに接続される。
【０１１３】
なお、以上の実施形態は、本質的に好ましい例示であって、本発明、その適用物、あるいはその用途の範囲を制限することを意図するものではない。
【産業上の利用可能性】
【０１１４】
以上説明したように、本発明は、室内空気の温度を調節する空気調和装置と、室内へ供給される室外空気の温度と湿度を調節する外気処理装置とを備えた空調システムについて有用である。
【図面の簡単な説明】
【０１１５】
【図１】実施形態の空調システムの概略構成を示す冷媒回路図である。
【図２】除湿運転中の状態を示す調湿ユニットの概略構成図であって、(Ａ)は第１動作中の状態を示すものであり、(Ｂ)は第２動作中の状態を示すものである。
【図３】加湿運転中の状態を示す調湿ユニットの概略構成図であって、(Ａ)は第１動作中の状態を示すものであり、(Ｂ)は第２動作中の状態を示すものである。
【図４】制御システムの動作を示す状態遷移図である。
【図５】外気処理に必要な空調能力と室内の空調に必要な空調能力とを説明するための湿り空気線図である。
【図６】空調機の特性を示す第１運転特性データである。
【図７】外気処理機の特性を示す第２運転特性データである。
【図８】制御システムの動作を説明するための表である。
【図９】実施形態の変形例２の空調システムの概略構成を示す冷媒回路図である。
【符号の説明】
【０１１６】
10    空調システム
20    空調機（空気調和装置）
30    空調用冷媒回路（第１冷媒回路）
41    空調用圧縮機（圧縮機）
50    外気処理機（外気処理装置）
60    調湿用冷媒回路（第２冷媒回路）
71    調湿用圧縮機（圧縮機）
90    制御システム（制御手段）
【図１】
2010121912.tif 000003
【図２】
2010121912.tif 000004
【図３】
2010121912.tif 000005
【図４】
2010121912.tif 000006
【図５】
2010121912.tif 000007
【図６】
2010121912.tif 000008
【図７】
2010121912.tif 000009
【図８】
2010121912.tif 000010
【図９】
2010121912.tif 000011